(57)【要約】      （修正有）【課題】店舗の付近において当該店舗の決済方法を容易に把握することが可能となるプログラム、情報処理装置、情報処理方法、及び情報処理システムを提供する。【解決手段】プログラムは、表示装置及び撮像装置を備える情報処理装置に、撮像装置による撮像によって画像を生成させるステップと、画像に含まれる店舗の特徴情報を取得するステップと、取得された店舗の特徴情報と、店舗において利用可能な決済方法を示す情報を要求するための決済方法リクエストとを、他の情報処理装置に送信するステップと、他の情報処理装置から、店舗の特徴情報に基づいて生成された決済方法を示す情報を受信するステップと、撮像装置によって生成された画像と、受信された決済方法を示す情報に基づいて生成された決済方法を示すオブジェクトとを重畳させて、表示装置に表示させるステップと、を実行させる。【選択図】図４
2020173625.tif 000002
【特許請求の範囲】
【請求項１】
表示装置及び撮像装置を備える情報処理装置に、
前記撮像装置による撮像によって画像を生成するステップと、
前記画像に含まれる店舗の特徴情報を取得するステップと、
取得された前記店舗の特徴情報と、前記店舗において利用可能な決済方法を示す情報を要求するための決済方法リクエストとを、他の情報処理装置に送信するステップと、
前記他の情報処理装置から、前記店舗の特徴情報に基づいて生成された前記決済方法を示す情報を受信するステップと、
前記撮像装置によって生成された前記画像と、受信された前記決済方法を示す情報に基づいて生成された前記決済方法を示すオブジェクトとを重畳させて、前記表示装置に表示させるステップと、
を実行させるプログラム。
【請求項２】
前記店舗の特徴情報は、前記画像を解析することにより取得される店舗の外観の特徴情報である、請求項１に記載のプログラム。
【請求項３】
前記店舗の特徴情報は、店舗に付された店舗を識別するための所定のマーカーの特徴情報である、請求項１に記載のプログラム。
【請求項４】
前記情報処理装置の位置情報を取得するステップと、
取得された前記位置情報を、前記他の情報処理装置に送信するステップと、を更に実行する、請求項１から３のいずれか一項に記載のプログラム。
【請求項５】
前記他の情報処理装置から受信する前記決済方法を示す情報は、前記店舗の特徴情報及び前記位置情報に基づいて生成された情報である、請求項４に記載のプログラム。
【請求項６】
前記オブジェクトの選択を受け付けるステップと、
商品またはサービスを特定するための情報を受け付けるステップと、
選択を受け付けた前記オブジェクトが示す前記決済方法による前記商品またはサービスに係る決済を要求するための決済リクエストを、前記他の情報処理装置に送信するステップと、を更に実行させる、請求項１から５のいずれか一項に記載のプログラム。
【請求項７】
表示装置と、
撮像装置と、
前記撮像装置による撮像によって画像を生成する生成部と、
前記画像に含まれる店舗の特徴情報を取得する取得部と、
取得された前記店舗の特徴情報と、前記店舗において利用可能な決済方法を示す情報要求するための決済方法リクエストとを、他の情報処理装置に送信する送信部と、
前記他の情報処理装置から、前記決済方法を示す情報を受信する受信部と、
前記撮像装置によって生成された前記画像と、受信された前記決済方法を示す情報に基づいて生成された前記決済方法を示すオブジェクトとを重畳させて、前記表示装置に表示させる表示部と、を備える、情報処理装置。
【請求項８】
店舗の特徴情報に、当該店舗において利用可能な決済方法を対応付けて記憶する記憶部を備える情報処理装置に、
他の情報処理装置から、撮像装置が撮像することにより生成された画像に含まれる店舗の特徴情報と、当該店舗において利用可能な決済方法を示す情報要求するための決済方法リクエストとを、受信するステップと、
前記記憶部を参照して、受信された前記店舗の特徴情報に対応付けられた前記決済方法を示す情報を生成するステップと、
前記他の情報処理装置に、生成された前記決済方法を示す情報を送信するステップと、
を実行させる情報処理方法。
【請求項９】
第１情報処理装置及び第２情報処理装置を備える情報処理システムであって、
前記第１情報処理装置は、
表示装置と、
撮像装置と、
前記撮像装置による撮像によって画像を生成する第２生成部と、
前記画像に含まれる店舗の特徴情報を取得する取得部と、
取得された前記店舗の特徴情報と、前記店舗において利用可能な決済方法を示す情報要求するための決済方法リクエストとを、前記第２情報処理装置に送信する第１送信部と、を備え、
前記第２情報処理装置は、
店舗の特徴情報に、当該店舗において利用可能な決済方法を対応付けて記憶する記憶部と、
前記第１情報処理装置の前記第１送信部が送信した、前記店舗の特徴情報と、前記決済方法リクエストとを、受信する第２受信部と、
前記記憶部を参照して、受信された前記店舗の特徴情報に対応付けられた前記決済方法を示す情報を生成する第２生成部と、
前記第１情報処理装置に、生成された前記決済方法を示す情報を送信する第２送信部と、を備え、
前記第１情報処理装置は、更に、
前記第２情報処理装置の前記第２送信部が送信した、前記決済方法を示す情報を受信する第１受信部と、
前記撮像装置によって生成された前記画像と、受信された前記決済方法を示す情報に基づいて生成された前記決済方法を示すオブジェクトとを重畳させて、前記表示装置に表示させる表示部と、を備える、情報処理システム。
【発明の詳細な説明】
【技術分野】
【０００１】
本発明は、プログラム、情報処理装置、情報処理方法、及び情報処理システムに関する。
【背景技術】
【０００２】
従来から、スマートフォン等のユーザ装置を用いて決済を行うことのできる決済システムが知られている。
【先行技術文献】
【非特許文献】
【０００３】
【非特許文献１】岩田昭男、”お財布・カードはいらない？スマホ決済の選び方・使い方”、［online］、［平成３０年７月１８日検索］、インターネット<URL:https://www.lifehacker.jp/2018/06/smartphone_payment.html>
【発明の概要】
【発明が解決しようとする課題】
【０００４】
例えば、外出中に偶然見つけた飲食店等に関する決済方法を知りたい場合がある。この場合、ユーザは通信端末を用いて、店先に掲げられた店舗の名称や通信端末が取得する位置情報を手がかりに、Ｗｅｂ上の検索サイトや評価サイトにおいて目的の店舗情報を探し出し、当該店舗が許可している決済方法を確認していた。しかしながら、目的の情報にたどり着くまでには時間や手間がかかり、また、検索途中で別のページに飛んでしまったり、どこの情報をみていたか分からなくなってしまう場合があった。
【０００５】
そこで、本発明は、店舗の付近において当該店舗の決済方法を容易に把握することが可能となるプログラム、情報処理装置、情報処理方法、及び情報処理システムを提供することを目的とする。
【課題を解決するための手段】
【０００６】
本発明の一態様に係るプログラムは、表示装置及び撮像装置を備える情報処理装置に、撮像装置による撮像によって画像を生成するステップと、画像に含まれる店舗の特徴情報を取得するステップと、取得された店舗の特徴情報と、店舗において利用可能な決済方法を示す情報を要求するための決済方法リクエストとを、他の情報処理装置に送信するステップと、他の情報処理装置から、店舗の特徴情報に基づいて生成された決済方法を示す情報を受信するステップと、撮像装置によって生成された画像と、受信された決済方法を示す情報に基づいて生成された決済方法を示すオブジェクトとを重畳させて、表示装置に表示させるステップと、を実行させる。
【０００７】
この態様によれば、店舗の付近において当該店舗の決済方法を容易に把握することが可能となる。
【発明の効果】
【０００８】
本発明によれば、店舗の付近において当該店舗の決済方法を容易に把握することが可能となるプログラム、情報処理装置、情報処理方法、及び情報処理システムを提供することができる。
【図面の簡単な説明】
【０００９】
【図１】ユーザ装置を用いた決済の利用手法を説明するための概念図である。
【図２】ユーザ装置を用いた決済サービスの新しい利用手法を実現するためのコンピュータシステム２００の構成の一例を示す図である。
【図３Ａ】ユーザデータベース部２４１に格納されている情報の構成の一例を示す図である。
【図３Ｂ】店舗データベース部２４２に格納されている情報の構成の一例を示す図である。
【図３Ｃ】商品・データベース部２４３に格納されている情報の構成の一例を示す図である。
【図４】コンピュータシステム２００において実行される処理のフローの一例を示す図である。
【図５】重畳画面１０００の一例を示す図である。
【発明を実施するための形態】
【００１０】
添付図面を参照して、本発明の好適な実施形態について説明する。（なお、各図において、同一の符号を付したものは、同一又は同様の構成を有する。）
【００１１】
（１）端末を用いた新しい決済手段登録手法
図１は、ユーザ装置を用いた決済サービスの利用手法を説明するための概念図である。図１の上段は、ユーザ装置を用いた決済サービスの従来の利用手法を説明するための概念図であり、図１の下段は、ユーザ装置を用いた決済サービスの新しい利用手法を説明するための概念図である。
【００１２】
図１の上段に示されるように、従来では、ユーザは、ユーザ装置を用いて、店先に掲げられた店舗の名称やユーザ装置が取得する位置情報を手がかりに、Ｗｅｂ上の検索エンジンや地図サービス、評価サイト等において目的の店舗情報を探し出し、当該店舗が許可している決済方法を確認していた。しかしながら、目的の情報にたどり着くまでには時間や手間がかかり、また、検索途中で別のページに飛んでしまったり、どこの情報をみていたか分からなくなってしまう場合があった。
【００１３】
図１の下段に示されるように、本発明では、まずユーザは、所望の店舗の付近において、ユーザ装置が有するカメラ等の撮像装置を用いて当該店舗を撮像して得られた画像を解析することにより、当該店舗の特徴情報を取得する。そして、ユーザ装置は、ユーザの操作に応じて、当該店舗で利用可能な決済方法を示す情報を要求するリクエストをサーバ装置に送信する。サーバ装置は、所定のテーブルを参照して、ユーザ装置から受信した当該店舗の特徴情報に対応付けられた店舗を特定し、当該店舗において利用可能な決済方法を抽出する。そして、サーバ装置は、抽出された決済方法を示す情報を、ユーザ装置に送信する。これによれば、ユーザは、ユーザ装置が有する撮像装置を用いて店舗を撮像するだけで、当該店舗で利用可能な決済方法を把握することができる。
【００１４】
（２）コンピュータシステムの構成
図２は、ユーザ装置を用いた決済サービスの新しい利用手法を実現するためのコンピュータシステム２００の構成の一例を示す。
【００１５】
（２−１）コンピュータシステム２００
コンピュータシステム２００は、商品またはサービスの決済を支援するためのシステムである。コンピュータシステム２００は、少なくとも１つのユーザ装置２１０１〜２１０Ｎと、サーバ装置２２０とを備える。少なくとも１つのユーザ装置２１０１〜２１０Ｎは、インターネット２３０を介して、サーバ装置２２０と通信可能なように構成されている。サーバ装置２２０には、データベース部２４０が接続されている。コンピュータシステム２００は、商品またはサービスを提供する店舗の少なくとも１つの端末２５０１〜２５０Ｍをさらに備えていてもよい。ここで、Ｍ及びＮは、１以上の整数である。
【００１６】
（２−２）ユーザ装置２１０
図２に示される例では、ユーザ装置２１０１は、インターネット２３０を介した通信を制御するインタフェース部２１１と、１つ以上のＣＰＵ（ＣｅｎｔｒａｌＰｒｏｃｅｓｓｉｎｇＵｎｉｔ）を含むプロセッサ部２１２と、メモリ部２１３と、タッチパネルディスプレイ等の入力部兼表示部２１４と、撮影機能を有するカメラ２１５と、ユーザ装置２１０１の現在の位置情報を取得するための位置情報装置２１６とを備えている。位置情報装置２１６の一例は、GPS(GlobalPositioningSystem）装置であり得るがこれに限定されない。また、位置情報装置２１６は、地上等に設置された電子基準点が送信する信号（例えば、Ｌ６信号）を受信し、当該信号に基づいて位置情報を補正してもよい。これにより、例えば、衛星みちびき等の衛星から受信した信号を、電子基準点から受信した信号により補正することにより、センチメータ級の測位補強が可能となる。なお、ユーザ装置２１０１は、位置情報装置２１６の機能を活用して、例えば事故や災害等が発生した際に、ユーザの状況や位置情報を他の情報処理装置に送信できるようにしてもよい。なお、入力部兼表示部２１４の代わりに、入力部および表示部が別個の構成であってもよい。また、ユーザ装置２１０１は、ユーザ装置２１０１の音声認識部（図示せず）によってユーザの音声を認識することが可能なように構成されていてもよい。ユーザ装置２１０１の少なくとも一部の材料は、CELUMIX株式会社製であり得る。また、ユーザ装置２１０２一２１０Ｎの構成は、ユーザ装置２１０１の構成と同一であるため、ここではその説明を省略する。
【００１７】
インタフェース部２１１は、サーバ装置２２０との間の通信を制御する。
【００１８】
メモリ部２１３には、オペレーションシステム（０Ｓ）等の基本プログラムのほかに、図４に示されるユーザ装置２１０１の処理を実行するためのプログラム（アプリケーションプログラム）がインストールされている。ここで、プログラムをどのようにしてメモリ部２１３にインストールするかは問わない。例えば、プログラムは、メモリ部２１３にプリインストールされていてもよい。あるいは、プログラムは、インターネット２３０などのネットワークを経由してダウンロードされることによってメモリ部２１３にインストールされるようにしてもよいし、光ディスクやＵＳＢなどの記憶媒体を介してメモリ部２１３にインストールされるようにしてもよい。プロセッサ部２１２は、メモリ部２１３に格納されているプログラムを読み出し、そのプログラムを実行する。これにより、ユーザ装置２１０１は、コンピュータシステム２００の一部を構成するクライアント装置として機能することが可能である。
【００１９】
あるいは、ユーザ装置２１０１は、メモリ部２１３にプリインストールされているWebブラウザの組み込みプログラムまたは追加プログラムを利用してWebサイトにアクセスすることが可能である。この場合、ユーザ装置２１０１は、アプリケーションプログラムをメモリ部２１３にインストールすることなく、Webブラウザ上でサービスを利用することが可能である。
【００２０】
プロセッサ部２１２は、ユーザ装置２１０１全体の動作を制御する。プロセッサ部２１２は、メモリ部２１３に格納されているプログラムを読み出し、そのプログラムを実行する。これにより、ユーザ装置２１０１を所望のステップを実行する装置として機能させることが可能である。
【００２１】
（２−３）サーバ装置２２０
サーバ装置２２０は、店舗によって提供される商品またはサービスの決済を支援することが可能なように構成されている。サーバ装置２２０は、この決済サービスの管理者（例えば、この決済サービスの運営企業または責任者）が運営・管理する情報処理装置である。サーバ装置２２０は、例えば、ワークステーションやパーソナルコンピュータであって、サーバとしての一般的なハードウェア構成を有している。サーバ装置２２０のハードウェア構成はその機能を実現できる限りにおいて特に限定されず、単一のマシンで構成されていてもよく、複数台のマシンを組み合わせて構成されたものであってもよい。
【００２２】
図２に示される例では、サーバ装置２２０は、インターネット２３０を介した通信を制御するインタフェース部２２１と、１つ以上のCPU(Central Processing Unit)を含むプロセッサ部２２２と、メモリ部２２３とを備える。サーバ装置２２０のインタフェース部２２１、プロセッサ部２２２、メモリ部２２３は、それぞれ、ユーザ装置２１０１のインタフェース部２１１、プロセッサ部２１２、メモリ部２１３と同様の構成を有するため、ここではこれらの詳しい説明を省略する。
【００２３】
少なくとも１つの端末２５０１〜２５０Ｍは、商品またはサービスを提供する店舗の電子機器である。少なくとも１つの端末２５０１〜２５０Ｍは、例えば、電話機、FAX機であり得、少なくとも１つの端末２５０１〜２５０Ｍは、例えば、パスワードを出力することが可能なように構成され得る。例えば、少なくとも１つの端末２５０１〜２５０Ｍが電話機である場合には、パスワードは音声出力されるようにしてもよいし、少なくとも１つの端末２５０１〜２５０ＭがFAX機である場合には、パスワードはプリント出力されるようにしてもよい。
【００２４】
データベース部２４０は、ユーザデータベース部２４１と、店舗データベース部２４２と、商品・サービスデータベース部２４３と、パスワードデータベース部２４４とを含む。
【００２５】
また、図２に示される実施形態では、少なくとも１つのユーザ装置２１０１〜２１０Ｎがインターネット２３０を介してサーバ装置２２０と通信可能であると説明したが、本発明はこれに限定されない。インターネット２３０の代わりに任意のタイプのネットワークを用いることも可能である。
【００２６】
また、図２に示される実施形態では、データベース部２４０は、サーバ装置２２０の外部に設けられているが、その態様は問わない。例えば、データベース部２４０は、サーバ装置２２０の単一の外付けハードディスク装置として構成されてもよいし、ネットワークを介して接続されるクラウド上のストレージとして構成されてもよい。あるいは、データベース部２４０は、サーバ装置２２０の内部に設けられることも可能である。データベース部２４０の構成は、特定のハードウェア構成には限定されない。例えば、データベース部２４０は、単一のハードウェア部品で構成されてもよいし、複数のノ、ードウェア部品で構成されてもよい。例えば、データベース部２４０は、ブロックチェーンなどの分散型台帳技術または分散型ネットワークを利用して構築されていてもよいさらに、データベース部２４０に含まれる各データベース部の構成もまた特定のハードウェア構成には限定されない。例えば、データベース部２４０に含まれる各データベース部もまた単一のハードウェア部品で構成されてもよいし、複数のハードウェア部品で構成されてもよい。例えば、データベース部２４０に含まれる各データベース部もまた、ブロックチェーンなどの分散型台帳技術または分散型ネットワークを利用して構築されていてもよい。
【００２７】
図３Ａは、ユーザデータベース部２４１に格納されている情報の構成の一例を示す。
【００２８】
ユーザデータベース部２４１には、ユーザに関する情報が格納されている。ユーザに関する情報は、ユーザを識別するための情報（ユーザID）によって識別されることが可能である。ユーザデータベース部２４１には、例えば、ユーザの氏名、性別、生年月日、住所、電話番号、Ｅメールアドレス、口座情報（例えば、銀行名、口座番号、パスワード）などがさらに格納されている。
【００２９】
図３Ｂは、店舗データベース部２４２に格納されている情報の構成の一例を示す。
【００３０】
店舗データベース部２４２には、商品またはサービスを提供する店舗に関する情報が格納されている。商品またはサービスを提供する店舗に関する情報は、店舗を識別するための情報（店舗ＩＤ）によって識別されることが可能である。店舗データベース部２４２には、例えば、商品またはサービスを提供する店舗の名称、位置情報、取扱い商品、口座情報（例えば、銀行名、口座番号、パスワード）、店舗の特徴情報を示すデータ、利用可能な決済方法を示す情報などがさらに格納されている。なお、商品またはサービスを提供する店舗の位置情報は、例えば、店舗の住所、店舗が所有する端末のGPS情報などであるが、これらに限定されない。
【００３１】
図３Ｃは、商品・サービスデータベース部２４３に格納されている情報の構成の一例を示す。
【００３２】
商品・サービスデータベース部２４３には、商品またはサービスに関する情報が格納されている。商品またはサービスに関する情報は、商品またはサービスを識別するための情報（商品・サービスID）によって識別されることが可能である。商品またはサービスに関する情報は、店舗を識別するための情報（店舗ＩＤ）に関連付けられた状態で商品データベース部２４３に格納されている。商品データベース部２４３には、商品名またはサービス名、定価、店舗ＩＤ」における提供価格、商品またはサービスが表された画像データなどがさらに格納されている。なお、サービスが表された画像データの一例は、提供されるサービスを示すステッカーの画像データ、サービスが提供されている風景が撮影された画像データなどであるが、これらに限定されない。
【００３３】
パスワードデータベース部２４４には、有効なパスワードおよびその有効条件が格納されている。パスワードは、例えば、１回限りの使用が有効なワンタイムパスワード、または、所定の時間内に限り有効な時限パスワードであり得る。例えば、ワンタイムパスワードの有効条件は、[１回限りの使用」であり、時限パスワードの有効条件は、「所定の時間内」である。「所定の時間内」は、例えば、「時限パスワードの生成時刻から〇分以内」、「時限パスワードの生成時刻から□時間以内」、「時限パスワードを生成した日中」などであるが、これらに限定されない。
【００３４】
サーバ装置２２０は、パスワードデータベース部２４４内を検索することが可能なように構成されている。サーバ装置２２０は、パスワードデータベース部２４４内を検索することによって、パスワードが有効であるか否かを判定することが可能である。
【００３５】
（３）コンピュータシステムの処理
図４は、コンピュータシステム２００において実行される処理のフローの一例を示す。図４に示される処理は、例えば、ユーザ装置２１０１に含まれるプロセッサ部２１２およびサーバ装置２２０に含まれるプロセッサ部２２２によって実行される。以下、図４に示される各ステップを説明する。
【００３６】
ステップＳ１：ユーザ装置２１０１は、ユーザの操作に応じて、ユーザ装置２１０１が有するカメラ等の撮像装置を起動する。撮像装置は、所定の撮像領域を撮像することにより、画像を生成する。そして、当該撮像装置の撮像領域に所望の店舗が含まれるように、ユーザがユーザ装置２１０１を操作することにより、店舗が撮影され、画像に店舗が含まれるようになる。
【００３７】
ステップＳ２：ユーザ装置２１０１は、撮像装置による撮像によって生成された画像に含まれる店舗の特徴情報を取得する。ここで、店舗の特徴情報は、店舗を識別するための当該店舗の特徴を示す情報であれば特に限定されず、例えば、店舗の外観の特徴情報、店舗看板等に掲げられた店舗名称、店舗の外装等のユーザ装置によって撮像可能な場所に付されたＡＲ（拡張現実）マーカー等であってもよい。ここで、ＡＲマーカーとは、画像解析により認識可能なマークである。
【００３８】
ステップＳ３：次に、ユーザ装置２１０１は、店舗において利用可能な決済方法を示す情報を要求するための決済方法リクエストを生成し、取得された店舗の特徴情報と、生成された決済方法リクエストとを、サーバ装置２２０に送信する。ここで、決済方法リクエストは、例えば、ユーザＩＤを含んでいてもよい。また、ユーザ装置２１０１は、取得したユーザ装置２１０１の位置情報を、併せてサーバ装置２２０に送信してもよい。
【００３９】
ステップＳ４：サーバ装置２２０は、ユーザ装置２１０１から決済方法リクエストおよび店舗の特徴情報を受信すると、店舗の特徴情報に基づいて、当該店舗で利用可能な決済方法を示す情報を生成し、これをユーザ装置２１０１に送信する。具体的には、サーバ装置２２０は、店舗データベース部２４２を参照して、ユーザ装置２１０１から受信した店舗の特徴情報に一致する店舗を特定する。このとき、特徴情報の一致率が完全（１００％）の場合だけでなく、所定の閾値以上の一致率を満たす場合が含まれてもよい。また、店舗の特徴には、店舗の特徴情報の他、ステップＳ３で送信され得るユーザ装置２１０１の位置情報を用いてもよい。サーバ装置２２０によって生成及び送信される決済方法を示す情報は、決済方法に係る所定のＩＤ、決済方法の名称、決済方法を示すオブジェクトを表示装置に表示するための表示データ等であってもよい。また、サーバ装置２２０は、店舗データベース部２４２を参照して、上述のとおり特定された店舗から所定の距離（例えば、１００ｍ、３００ｍ、５００ｍ等）以内に位置する店舗を周辺店舗として特定してもよい。そして、サーバ装置２２０は、特定された周辺店舗で利用可能な決済方法を示す情報を生成し、これをユーザ装置２１０１に送信してもよい。また、サーバ装置２２０は、特定された周辺店舗の位置情報や、店舗名等の属性情報、識別情報等をユーザ装置２１０１に送信してもよい。
【００４０】
ステップＳ５：ユーザ装置２１０１は、サーバ装置２２０から受信した決済方法を示す情報に基づいて、撮像画面に決済方法を示すオブジェクトを重畳して表示する。図５は、ユーザ装置２１０１が表示する重畳画面１０００の一例を示す図である。重畳画面１０００は、ユーザ装置２１０１に表示される画面であって、撮像装置が撮像装置することにより生成された画像に、決済方法を示すオブジェクトが重畳されて成る画面である。図５に示すとおり、重畳画面１０００は、店舗表示領域１００１と、決済方法を示すオブジェクト１００２とを含む。店舗表示領域１００１は、ユーザ装置２１０１が有する撮像装置の撮像により生成された画像に含まれる店舗の像である。また、決済方法を示すオブジェクト１００２は、決済方法の名称やアイコン等の、決済方法を表す任意の態様によって表示されてよい。ステップＳ４でサーバ装置２２０から表示データが送信される場合は、オブジェクト１００２は、当該表示データに基づいてユーザ装置２１０１が生成したオブジェクトであってもよい。また、ステップＳ４でサーバ装置２２０から決済方法に係る他の情報（例えば、決済方法に係る所定のＩＤ、決済方法の名称等）が送信される場合は、ユーザ装置２１０１は、当該情報に基づいてオブジェクト１００２を生成してもよい。
【００４１】
重畳画面１０００により、ユーザは、当該店舗で利用可能な決済方法を把握することができる。当該利用可能な決済方法の中で、ユーザが利用可能で且つユーザが利用を希望する決済方法がある場合、ユーザは例えば、当該店舗に入店する。そして、ユーザは、当該店舗において、当該店舗が提供する商品またはサービスについて支払を行う。
【００４２】
また、ユーザ装置２１０１は、サーバ装置２２０から周辺店舗に係る情報を取得した場合、当該周辺店舗に係る情報を表示してもよい。具体的には、ユーザ装置２１０１は、周辺店舗の位置情報と、当該周辺店舗で利用可能な決済方法を示す情報（オブジェクト等）とを表示してもよい。ユーザは、表示された周辺店舗の情報を選択することにより、周辺店舗をお気に入り等として登録することができる。
【００４３】
ステップＳ６：ユーザ装置２１０１は、例えば購入する商品またはサービスを決定したユーザの操作に応じて、決済方法を示すオブジェクトのうちのいずれかの選択を受け付ける。なお、ユーザは、ステップＳ５の後でユーザ装置２１０１の表示機能をスリープ等にしてから商品またはサービスの検討を行い、支払手続の段階になった時点で、重畳画面１０００を再度ユーザ装置２１０１に呼び出してもよい。
【００４４】
ステップＳ７：ユーザ装置２１０１は、商品またはサービスを特定するための情報の入力を受け付ける。当該入力は、ユーザまたは店舗の店員にいずれが行ってもよい。入力される商品またはサービスを特定するための情報は、任意の情報であってよいが、例えば、商品またはサービスのＩＤであってもよい。このとき、ユーザ装置２１０１によって商品またはサービスに係る所定のコードを読み取ることにより、当該ＩＤがユーザ装置２１０１に入力されてもよい。或いは、商品またはサービスを特定するための情報は、商品またはサービスが表された画像データであってもよい。
【００４５】
ステップＳ８：ユーザ装置２１０１は、ユーザの操作に応じて、決済リクエストを生成し、サーバ装置２２０に送信する。当該決済リクエストは、ステップＳ６で選択されたオブジェクトに対応する決済方法による、ステップＳ７で入力された情報に対応する商品またはサービスの決済のリクエストである。
【００４６】
ステップＳ９：サーバ装置２２０は、ユーザ装置２１０１から決済リクエストを受信すると、所定の決済処理を実行する。具体的には、例えば、サーバ装置２２０は、決済リクエストに係るユーザ、店舗、商品またはサービス、及び決済方法をそれぞれ特定し、ユーザの口座から商品またはサービスを提供する店舗の口座へのユーザの支払額分の送金リクエストを決済機関のシステム（例えば、銀行のシステム）に送信してもよい。
【００４７】
例えば、ユーザ装置２１０１が、カード（例えば、クレジットカード、デビットカード）からユーザの口座情報を読み出すことが可能なように構成されている、または、カードと接触した状態でまたはカードと非接触の状態でカードからユーザの口座情報を読み出すことが可能なように構成されている場合には、ユーザの口座情報は、当該構成によって読み出されてもよい。
【００４８】
以上のように、本発明の好ましい実施形態を用いて本発明を例示してきたが、本発明は、この実施形態に限定して解釈されるべきものではない。本発明は、特許請求の範囲によってのみその範囲が解釈されるべきものであることが理解される。当業者は、本発明の具体的な好ましい実施形態の記載から、本発明の記載および技術常識に基づいて等価な範囲を実施することができることが理解される。
【符号の説明】
【００４９】
２００…コンピュータシステム、２１０１〜２１０Ｎ…ユーザ装置、２３０…インターネット、２４０…データベース部、２５０１〜２５０Ｎ…ユーザ端末
【図１】
2020173625.tif 000003
【図２】
2020173625.tif 000004
【図３Ａ】
2020173625.tif 000005
【図３Ｂ】
2020173625.tif 000006
【図３Ｃ】
2020173625.tif 000007
【図４】
2020173625.tif 000008
【図５】
2020173625.tif 000009
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
表示装置及び撮像装置を備える情報処理装置に、
前記撮像装置による撮像によって画像を生成するステップと、
前記画像に含まれる店舗の特徴情報を取得するステップと、
取得された前記店舗の特徴情報と、前記店舗において利用可能な決済方法を示す情報を要求するための決済方法リクエストとを、複数の前記店舗の特徴情報のそれぞれに対応付けて前記店舗において利用可能な決済方法を記憶する他の情報処理装置に送信するステップと、
前記他の情報処理装置から、前記店舗の特徴情報に基づいて生成された前記決済方法を示す情報を受信するステップと、
前記撮像装置によって生成された前記画像と、受信された前記決済方法を示す情報に基づいて生成された前記決済方法を示すオブジェクトとを重畳させて、前記表示装置に表示させるステップと、
を実行させるプログラム。
【請求項２】
前記店舗の特徴情報は、前記画像を解析することにより取得される店舗の外観の特徴情報である、請求項１に記載のプログラム。
【請求項３】
前記店舗の特徴情報は、店舗に付された店舗を識別するための所定のマーカーの特徴情報である、請求項１に記載のプログラム。
【請求項４】
前記情報処理装置の位置情報を取得するステップと、
取得された前記位置情報を、前記他の情報処理装置に送信するステップと、を更に実行する、請求項１から３のいずれか一項に記載のプログラム。
【請求項５】
前記オブジェクトの選択を受け付けるステップと、
商品またはサービスを特定するための情報を受け付けるステップと、
選択を受け付けた前記オブジェクトが示す前記決済方法による前記商品またはサービスに係る決済を要求するための決済リクエストを、前記他の情報処理装置に送信するステップと、を更に実行させる、請求項１から４のいずれか一項に記載のプログラム。
【請求項６】
表示装置と、
撮像装置と、
前記撮像装置による撮像によって画像を生成する生成部と、
前記画像に含まれる店舗の特徴情報を取得する取得部と、
取得された前記店舗の特徴情報と、前記店舗において利用可能な決済方法を示す情報要求するための決済方法リクエストとを、複数の前記店舗の特徴情報のそれぞれに対応付けて前記店舗において利用可能な決済方法を記憶する他の情報処理装置に送信する送信部と、
前記他の情報処理装置から、前記決済方法を示す情報を受信する受信部と、
前記撮像装置によって生成された前記画像と、受信された前記決済方法を示す情報に基づいて生成された前記決済方法を示すオブジェクトとを重畳させて、前記表示装置に表示させる表示部と、を備える、情報処理装置。
【請求項７】
複数の店舗の特徴情報のそれぞれに、当該店舗において利用可能な決済方法を対応付けて記憶する記憶部を備える情報処理装置に、
他の情報処理装置から、撮像装置が撮像することにより生成された画像に含まれる店舗の特徴情報と、当該店舗において利用可能な決済方法を示す情報要求するための決済方法リクエストとを、受信するステップと、
前記記憶部を参照して、受信された前記店舗の特徴情報に対応付けられた前記決済方法を示す情報を生成するステップと、
前記他の情報処理装置に、生成された前記決済方法を示す情報を送信するステップと、
を実行させる情報処理方法。
【請求項８】
第１情報処理装置及び第２情報処理装置を備える情報処理システムであって、
前記第１情報処理装置は、
表示装置と、
撮像装置と、
前記撮像装置による撮像によって画像を生成する第２生成部と、
前記画像に含まれる店舗の特徴情報を取得する取得部と、
取得された前記店舗の特徴情報と、前記店舗において利用可能な決済方法を示す情報要求するための決済方法リクエストとを、前記第２情報処理装置に送信する第１送信部と、を備え、
前記第２情報処理装置は、
店舗の特徴情報に、当該店舗において利用可能な決済方法を対応付けて記憶する記憶部と、
前記第１情報処理装置の前記第１送信部が送信した、前記店舗の特徴情報と、前記決済方法リクエストとを、受信する第２受信部と、
前記記憶部を参照して、受信された前記店舗の特徴情報に対応付けられた前記決済方法を示す情報を生成する第２生成部と、
前記第１情報処理装置に、生成された前記決済方法を示す情報を送信する第２送信部と、を備え、
前記第１情報処理装置は、更に、
前記第２情報処理装置の前記第２送信部が送信した、前記決済方法を示す情報を受信する第１受信部と、
前記撮像装置によって生成された前記画像と、受信された前記決済方法を示す情報に基づいて生成された前記決済方法を示すオブジェクトとを重畳させて、前記表示装置に表示させる表示部と、を備える、情報処理システム。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
表示装置及び撮像装置を備える情報処理装置に、
前記撮像装置による撮像によって画像を生成するステップと、
前記画像に含まれる店舗の特徴情報を取得するステップと、
取得された前記店舗の特徴情報と、前記店舗において利用可能な決済方法を示す情報を要求するための決済方法リクエストとを、複数の前記店舗の特徴情報のそれぞれに対応付けて前記店舗において利用可能な決済方法を記憶する他の情報処理装置に送信するステップと、
前記他の情報処理装置から、前記店舗の特徴情報に基づいて生成された前記決済方法を示す情報を受信するステップと、
前記撮像装置によって生成された前記画像と、受信された前記決済方法を示す情報に基づいて生成された前記決済方法を示すオブジェクトとを重畳させて、前記表示装置に表示させるステップと、
を実行させるプログラム。
【請求項２】
前記店舗の特徴情報は、前記画像を解析することにより取得される店舗の外観の特徴情報である、請求項１に記載のプログラム。
【請求項３】
前記店舗の特徴情報は、店舗に付された店舗を識別するための所定のマーカーの特徴情報である、請求項１に記載のプログラム。
【請求項４】
前記情報処理装置の位置情報を取得するステップと、
取得された前記位置情報を、前記他の情報処理装置に送信するステップと、を更に実行する、請求項１から３のいずれか一項に記載のプログラム。
【請求項５】
前記オブジェクトの選択を受け付けるステップと、
商品またはサービスを特定するための情報を受け付けるステップと、
選択を受け付けた前記オブジェクトが示す前記決済方法による前記商品またはサービスに係る決済を要求するための決済リクエストを、前記他の情報処理装置に送信するステップと、を更に実行させる、請求項１から４のいずれか一項に記載のプログラム。
【請求項６】
表示装置と、
撮像装置と、
前記撮像装置による撮像によって画像を生成する生成部と、
前記画像に含まれる店舗の特徴情報を取得する取得部と、
取得された前記店舗の特徴情報と、前記店舗において利用可能な決済方法を示す情報要求するための決済方法リクエストとを、複数の前記店舗の特徴情報のそれぞれに対応付けて前記店舗において利用可能な決済方法を記憶する他の情報処理装置に送信する送信部と、
前記他の情報処理装置から、前記決済方法を示す情報を受信する受信部と、
前記撮像装置によって生成された前記画像と、受信された前記決済方法を示す情報に基づいて生成された前記決済方法を示すオブジェクトとを重畳させて、前記表示装置に表示させる表示部と、を備える、情報処理装置。
【請求項７】
複数の店舗の特徴情報のそれぞれに、当該店舗において利用可能な決済方法を対応付けて記憶する記憶部を備える情報処理装置に、
他の情報処理装置から、撮像装置が撮像することにより生成された画像に含まれる店舗の特徴情報と、当該店舗において利用可能な決済方法を示す情報要求するための決済方法リクエストとを、受信するステップと、
前記記憶部を参照して、受信された前記店舗の特徴情報に対応付けられた前記決済方法を示す情報を生成するステップと、
前記他の情報処理装置に、生成された前記決済方法を示す情報を送信するステップと、
を実行させる情報処理方法。
【請求項８】
第１情報処理装置及び第２情報処理装置を備える情報処理システムであって、
前記第１情報処理装置は、
表示装置と、
撮像装置と、
前記撮像装置による撮像によって画像を生成する第２生成部と、
前記画像に含まれる店舗の特徴情報を取得する取得部と、
取得された前記店舗の特徴情報と、前記店舗において利用可能な決済方法を示す情報要求するための決済方法リクエストとを、前記第２情報処理装置に送信する第１送信部と、を備え、
前記第２情報処理装置は、
複数の店舗の特徴情報のそれぞれに、当該店舗において利用可能な決済方法を対応付けて記憶する記憶部と、
前記第１情報処理装置の前記第１送信部が送信した、前記店舗の特徴情報と、前記決済方法リクエストとを、受信する第２受信部と、
前記記憶部を参照して、受信された前記店舗の特徴情報に対応付けられた前記決済方法を示す情報を生成する第２生成部と、
前記第１情報処理装置に、生成された前記決済方法を示す情報を送信する第２送信部と、を備え、
前記第１情報処理装置は、更に、
前記第２情報処理装置の前記第２送信部が送信した、前記決済方法を示す情報を受信する第１受信部と、
前記撮像装置によって生成された前記画像と、受信された前記決済方法を示す情報に基づいて生成された前記決済方法を示すオブジェクトとを重畳させて、前記表示装置に表示させる表示部と、を備える、情報処理システム。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
表示装置及び撮像装置を備える情報処理装置に、
前記撮像装置による撮像によって画像を生成するステップと、
前記画像に含まれる店舗の特徴情報を取得するステップと、
取得された前記店舗の特徴情報と、前記店舗において利用可能な第１決済方法を示す情報を要求するための決済方法リクエストとを、複数の前記店舗の特徴情報のそれぞれに対応付けて前記店舗において利用可能な決済方法を記憶する他の情報処理装置に送信するステップと、
前記他の情報処理装置から、前記店舗の特徴情報に基づいて生成された前記第１決済方法を示す情報と、前記店舗から所定の距離以内に位置する周辺店舗で利用可能な第２決済方法を示す情報とを受信するステップと、
前記撮像装置によって生成された前記画像と、受信された前記第１決済方法を示す情報に基づいて生成された前記第１決済方法を示す第１オブジェクトとを重畳させて、前記表示装置に表示させるステップと、
受信された前記第２決済方法を示す情報に基づいて生成された前記第２決済方法を示す第２オブジェクトを、前記表示装置に表示させるステップと、
を実行させるプログラム。
【請求項２】
前記店舗の特徴情報は、前記画像を解析することにより取得される店舗の外観の特徴情報である、請求項１に記載のプログラム。
【請求項３】
前記店舗の特徴情報は、店舗に付された店舗を識別するための所定のマーカーの特徴情報である、請求項１に記載のプログラム。
【請求項４】
前記情報処理装置の位置情報を取得するステップと、
取得された前記情報処理装置の位置情報を、前記他の情報処理装置に送信するステップと、を更に実行する、請求項１から３のいずれか一項に記載のプログラム。
【請求項５】
前記第１オブジェクト又は前記第２オブジェクトの選択を受け付けるステップと、
商品またはサービスを特定するための情報を受け付けるステップと、
選択を受け付けた前記第１オブジェクト又は前記第２オブジェクトが示す前記決済方法による前記商品またはサービスに係る決済を要求するための決済リクエストを、前記他の情報処理装置に送信するステップと、を更に実行させる、請求項１から４のいずれか一項に記載のプログラム。
【請求項６】
表示装置と、
撮像装置と、
前記撮像装置による撮像によって画像を生成する生成部と、
前記画像に含まれる店舗の特徴情報を取得する取得部と、
取得された前記店舗の特徴情報と、前記店舗において利用可能な第１決済方法を示す情報要求するための決済方法リクエストとを、複数の前記店舗の特徴情報のそれぞれに対応付けて前記店舗において利用可能な決済方法を記憶する他の情報処理装置に送信する送信部と、
前記他の情報処理装置から、前記店舗の特徴情報に基づいて生成された前記第１決済方法を示す情報と、前記店舗から所定の距離以内に位置する周辺店舗で利用可能な第２決済方法を示す情報とを受信する受信部と、
前記撮像装置によって生成された前記画像と、受信された前記第１決済方法を示す情報に基づいて生成された前記第１決済方法を示す第１オブジェクトとを重畳させて、前記表示装置に表示させ、且つ受信された前記第２決済方法を示す情報に基づいて生成された前記第２決済方法を示す第２オブジェクトを、前記表示装置に表示させる表示部と、を備える、情報処理装置。
【請求項７】
複数の店舗の特徴情報のそれぞれに、当該店舗において利用可能な決済方法を対応付けて記憶する記憶部を備える情報処理装置に、
他の情報処理装置から、撮像装置が撮像することにより生成された画像に含まれる店舗の特徴情報と、当該店舗において利用可能な決済方法を示す情報要求するための決済方法リクエストとを、受信するステップと、
前記記憶部を参照して、受信された前記店舗の特徴情報に対応付けられた前記決済方法を示す情報を生成するステップと、
前記他の情報処理装置に、生成された前記決済方法を示す情報を送信するステップと、
を実行させる情報処理方法。
【請求項８】
第１情報処理装置及び第２情報処理装置を備える情報処理システムであって、
前記第１情報処理装置は、
表示装置と、
撮像装置と、
前記撮像装置による撮像によって画像を生成する第２生成部と、
前記画像に含まれる店舗の特徴情報を取得する取得部と、
取得された前記店舗の特徴情報と、前記店舗において利用可能な決済方法を示す情報要求するための決済方法リクエストとを、前記第２情報処理装置に送信する第１送信部と、を備え、
前記第２情報処理装置は、
複数の店舗の特徴情報のそれぞれに、当該店舗において利用可能な決済方法を対応付けて記憶する記憶部と、
前記第１情報処理装置の前記第１送信部が送信した、前記店舗の特徴情報と、前記決済方法リクエストとを、受信する第２受信部と、
前記記憶部を参照して、受信された前記店舗の特徴情報に対応付けられた前記決済方法を示す情報を生成する第２生成部と、
前記第１情報処理装置に、生成された前記決済方法を示す情報を送信する第２送信部と、を備え、
前記第１情報処理装置は、更に、
前記第２情報処理装置の前記第２送信部が送信した、前記決済方法を示す情報を受信する第１受信部と、
前記撮像装置によって生成された前記画像と、受信された前記決済方法を示す情報に基づいて生成された前記決済方法を示すオブジェクトとを重畳させて、前記表示装置に表示させる表示部と、を備える、情報処理システム。